(57)【要約】【課題】2台のエレベータを両方とも休止することなく、片方のエレベータの運転を確保したままで、乗場ボタン装置を入れ替えられるようにする。【解決手段】実施形態によるホールボタン装置入替治具は、乗場の壁に設置される旧ホールボタン装置14に取り付けられ、旧ホールボタン装置14の横に並べて新ホールボタン装置18を暫定的に仮設することが可能な仮設用フレームと、表面板15を旧ホールボタン装置14のボックス30から浮かせた状態で支持し、信号線の端末34、36を乗場側に引き出すことが可能な隙間を形成するブラケット部材31と、を具備している。【選択図】図９
2020045207.tif 000002
【特許請求の範囲】
【請求項１】
エレベータのリニューアル工事に際して、少なくとも２台のエレベータで共有する既設の旧ホールボタン装置を新ホールボタン装置に入れ替えるのに利用される治具であって、
乗場の壁に設置される旧ホールボタン装置に取り付けられ、前記旧ホールボタン装置の横に並べて前記新ホールボタン装置を暫定的に仮設することが可能な仮設用フレームと、
前記表面板を前記旧ホールボタン装置のボックスから浮かせた状態で支持し、信号線の端末を乗場側に引き出すことが可能な隙間を形成するブラケット部材と、
を具備したことを特徴とするホールボタン装置入替治具。
【請求項２】
前記仮設用フレームは、
前記旧ホールボタン装置の表面板に一端部が固定され水平に延びる腕部材と、
前記腕部材に直角に交差するように連結される縦部材と、からなることを特徴とする請求項１に記載のホールボタン装置入替治具。
【請求項３】
前記腕部材は、前記旧ホールボタン装置の前記表面板の上下端にある表面板固定用ねじ穴を利用して、ねじで固定されることを特徴とする請求項１に記載のホールボタン装置入替治具。
【請求項４】
請求項１乃至３のいずれかに記載のホールボタン装置入替治具を用い、
後行号機に先行して行う先行号機のリニューアル工事中に、前記新ホールボタン装置を前記旧ホールボタン装置に並べて仮設し、前記先行号機のリニューアル工事中は、前記旧ホールボタン装置により後行号機を運転可能な状態にし、
後行号機のリニューアル工事中は、リニューアルの完了した先行号機の信号線の端末を前記隙間から引き出して前記新ホールボタン装置に接続し、前記先行号機を運転可能な状態にし、
前記後行号機のリニューアル工事の完了とともに、前記後行号機の信号線の端末を前記新ホールボタン装置に接続し、前記旧ホールボタン装置を撤去するとともに前記新ホールボタン装置を正規の位置の設置することを特徴とするホールボタン装置入替方法。
【発明の詳細な説明】
【技術分野】
【０００１】
本発明の実施形態は、ホールボタン装置入替治具および方法に関する。
【背景技術】
【０００２】
エレベータでは、設置している機器や設備の耐用年数を経過すると、巻上機や制御盤などの主要な機器を最新式のものに更新し、あるいは経年劣化した設備を交換し、また、乗場やかごの外装を修繕するために、リニューアルが行われる。エレベータのリニューアルでは、多くの場合、制御盤の更新に合わせて、乗場のホールボタン装置や、かご操作盤の入れ替えが行われる。
【０００３】
ホールボタン装置は、かごの位置を示す表示灯や、利用者が乗場呼びを登録するための押ボタンを備えている。リニューアルによって、旧式のアナログ式からデジタル式のインジケータを備えたものにリニューアルされることが多い。
【０００４】
１つの乗場に、複数台のエレベータが設置されている場合、ホールボタン装置は、少なくとも２台のエレベータで共有されている。古いホールボタン装置を新しいホールボタン装置に入れ替える場合には、従来は、２台ともエレベータを休止させた状態でホールボタン装置の交換を行っていた。
【０００５】
ホールボタン装置をリニューアルする際のエレベータの休止時間をできるだけ短くするための先行技術としては、例えば、例えば特許文献１を挙げることができる。
【先行技術文献】
【特許文献】
【０００６】
【特許文献１】特開２０１３−１２４１４７号公報
【発明の開示】
【発明が解決しようとする課題】
【０００７】
しかしながら、乗場に２台だけ設置されている場合、エレベータを両方とも休止させると、利用者にエレベータによるサービスを提供できなくなり、利用者に迷惑をかけることになる。
他方、エレベータサービスの提供を停止することなく、乗場ボタン装置の入り替えをするには、利用者のいない深夜や早朝の時間帯に入れ替え作業をすることが考えられる。しかしこれでは、作業員の負担が大きくなる。
【０００８】
本発明は、前記従来技術の有する問題点に鑑みなされたものであって、エレベータを両方とも休止することなく、片方のエレベータの運転を確保したままで、乗場ボタン装置を入れ替えられるようにするホールボタン装置入替治具および方法を提供することを目的としている。
【課題を解決するための手段】
【０００９】
前記の目的を達成するために、本発明の一実施形態に係るホールボタン装置入替治具は、エレベータのリニューアル工事に際して、少なくとも２台のエレベータで共有する既設の旧ホールボタン装置を新ホールボタン装置に入れ替えるのに利用される治具であって、乗場の壁に設置される旧ホールボタン装置に取り付けられ、前記旧ホールボタン装置の横に並べて前記新ホールボタン装置を暫定的に仮設することが可能な仮設用フレームと、前記表面板を前記旧ホールボタン装置のボックスから浮かせた状態で支持し、信号線の端末を乗場側に引き出すことが可能な隙間を形成するブラケット部材と、を具備したことを特徴とするものである。
【００１０】
また、本発明の一実施形態に係るホールボタン装置入替方法は、上記のホールボタン装置入替治具を用い、後行号機に先行して行う先行号機のリニューアル工事中に、前記新ホールボタン装置を前記旧ホールボタン装置に並べて仮設し、前記先行号機のリニューアル工事中は、前記旧ホールボタン装置により後行号機を運転可能な状態にし、後行号機のリニューアル工事中は、リニューアルの完了した先行号機の信号線の端末を前記隙間から引き出して前記新ホールボタン装置に接続し、前記先行号機を運転可能な状態にし、前記後行号機のリニューアル工事の完了とともに、前記後行号機の信号線の端末を前記新ホールボタン装置に接続し、前記旧ホールボタン装置を撤去するとともに前記新ホールボタン装置を正規の位置の設置することを特徴とするものである。
【図面の簡単な説明】
【００１１】
【図１】リニューアル前の乗場のエレベータ出入口を示す正面図である。
【図２】リニューアル後の乗場のエレベータ出入口を示す正面図である。
【図３】リニューアルの途中で、実施形態によるホールボタン装置入替治具が設置されたエレベータ出入口を示す正面図である。
【図４】リニューアル前の旧ホールボタン装置を示す正面図である。
【図５】旧ホールボタン装置と入れ替えられる新ホールボタン装置を示す正面図である。
【図６】実施形態によるホールボタン装置入替治具の正面図である。
【図７】新ホールボタン装置が取り付けられているホールボタン装置入替治具を示す正面図である。
【図８】実施形態によるホールボタン装置入替治具の分解図である。
【図９】実施形態によるホールボタン装置入替治具の斜視図である。
【発明を実施するための最良の形態】
【００１２】
以下、本発明によるホールボタン装置入替治具の一実施形態について、添付の図面を参照しながら説明する。  
図１は、リニューアル前の乗場のエレベータ出入口を示す図である。図１において、12A、12Bは、１号機のエレベータ出入口を開閉するホールドアを示し、13a、13bは、２号機のエレベータ出入口を開閉するホールドアを示している。14は、１号機と２号機とで共用されている、リニューアル前の既設の旧ホールボタン装置を示している。  
図２は、リニューアル後の乗場のエレベータ出入口を示す図である。18は、リニューアルした新ホールボタン装置を示している。  
図３は、リニューアルの途中で、ホールボタン装置入替治具16が設置されたエレベータ出入口を示す図である。この場合、エレベータのリニューアルは、１号機、２号機の順で実施される。リニューアルの内容としては、例えば、巻上機などの駆動系の更新、制御盤の更新、かご操作盤の交換、ホールボタン装置の交換が行われる。
【００１３】
１号機のリニューアル工事が行われている間、２号機の運転は休止されることなく利用可能になっており、そのために乗場では、ホールボタン装置入替治具16を用いて、旧ホールボタン装置14と新ホールボタン装置18が支持されるようになっている。１号機のリニューアルの間、乗場からのホール呼びの操作は、旧ホールボタン装置14で行うことができる。
【００１４】
１号機のリニューアルが終わると、２号機のリニューアル工事が行われるが、この間は、１号機が利用可能であり、新しい方のホールボタン装置18でホール呼び操作をすることができる。
【００１５】
次に、図４は、リニューアル前の旧ホールボタン装置14を示す正面図である。
この旧ホールボタン装置14では、かごの位置、その方向は、位置表示灯17、方向灯19のランプ点灯により表示される。かごのホール呼びは、押ボタン20、21を押すことで行われる。
【００１６】
これに対して、図５は、旧ホールボタン装置と入れ替えられる新ホールボタン装置18を示す正面図である。
この新ホールボタン装置18では、デジタル式の位置表示器22で、かごの位置が階床を表す数字で表示され、方向表示器23には、方向が矢印で表示される。かごのホール呼びは、押ボタン25、26を押すことで行われる。
【００１７】
図６は、古いホールボタン装置14を新しいホールボタン装置18に入れ替える際に用いられる入替治具16を正面からみた図である。
このホールボタン装置入替治具16は、旧ホールボタン14の脇に、新ホールボタン装置18を暫定的に仮設置するための治具である。この実施形態では、ホールボタン装置入替治具16は、水平な姿勢で旧ホールボタン装置14に取り付けられる腕部材27、28と、腕部材27、28に直角に取り付けられる縦部材25と、背板26と、を有している。
【００１８】
図７は、新ホールボタン装置18が取り付けられているホールボタン装置入替治具16を示す正面図である。
【００１９】
新ホールボタン装置18は、背板26に取り付けられることで、旧ホールボタン装置14と並べるようにして仮付けされる。
【００２０】
ここで、図８は、ホールボタン装置入替治具の分解図で、図９は、ホールボタン装置入替治具の斜視図である。
図８において、参照番号30は、旧ホールボタン装置14のボックスを示し、参照番号15は、フェースプレートである。フェースプレート15の上端部および下端部には、フェースプレート15を固定するねじが螺入するねじ穴40a、40bが開いている。このねじ穴40a、40bを利用して、腕部材２７、２８は、ねじ41a、41bを用いて固定される。また、腕部材27、28に架け渡されるように、縦部材25が取り付けられ、図９に示されるように、背板26といっしょにねじ42a、42bにより固定される。背板26には、新ホールボタン装置18が取り付けられる。
【００２１】
図８に示されるように、フェースプレート15の上下端部には、ブラケット31が連結され、このブラケット31を介して、フェースプレート15はボックス30から浮いて前方に引き出されるようにして支持されている。この実施形態では、フェースプレート15の位置を仕上げるときに調整できるようにもともとあった部材をブラケット31に流用している。このようにフェースプレート15を支持することで、ボックス30とフェースプレート15の間には隙間32が形成されている。この隙間32を利用して、１号機、２号機の信号線ケーブルの端末44、45を外に引き出すことができるようになっている。
【００２２】
本実施形態によるホールボタン装置入替は、以上のように構成されるものであり、次に、ホールボタン装置を新旧入れ替える工程との関連において、その作用および効果について説明する。
【００２３】
この実施形態では、エレベータのリニューアルを、１号機の方を先行して実施し、その後に２号機のリニューアルを後行で実施する場合を例に説明する。リニューアルの内容としては、例えば、巻上機などの駆動系の更新、制御盤の更新、かご操作盤の交換を行い、最後に新旧ホールボタン装置14、18の交換が行われる。
【００２４】
１号機のリニューアル工事が行われている間は、２号機の運転は休止されずに、利用できる状態にする。図３、図７に示されるように、乗場では、ホールボタン装置入替治具16を用いて、旧ホールボタン装置14と新ホールボタン装置18を並んで支持することができるようになっている。
【００２５】
１号機のリニューアル工事が行われている間、ホール呼びの操作は、旧ホールボタン装置14で行なわれる。新ホールボタン装置18は、１号機のリニューアル工事が行われている間、使用するわけではないが、迅速に入れ替えられるように、１号機のリニューアル工事が終わりに近付いたら、旧ホールボタン装置１４に並んで仮付し準備しておく。
【００２６】
また、図９に示されるように、１号機の信号線ケーブル34の昇降路内での配線工事が完了したら、１号機の信号線ケーブル34の端末をボックス30とフェースプレート15の間の隙間32から引き出しておく。このように本実施形態では、この隙間32を利用することにより、昇降路内に配線されている信号線ケーブル34の端末を乗場側に引き出すことができる。
【００２７】
１号機のリニューアル工事の完了時には、１号機の信号線ケーブル34の端末を新ホールボタン装置18に接続する。以後、新ホールボタン装置18の操作により、１号機が利用可能な状態になる。その後、２号機のリニューアル工事が始められる。２号機のリニューアルの間、ホール呼びの操作は、新ホールボタン装置18で行うことができる。  
この実施形態では、２号機の信号配線工事が完了したら、２号機の信号線ケーブル36の端末をボックス30とフェースプレート15の間の隙間32から引き出して、新ホールボタン装置18に接続しておく。
最終的に、新ホールボタン装置18への入り替る作業    を残して、リニューアル工事が終わったら、旧ホールボタン装置14を撤去し、新ホールボタン装置18を入替治具16から取り外して正規の位置を取り付ける。この取り付けは、信号線ケーブ34、36端末を接続したまま行うことができる。
【００２８】
以上の説明から明らかなように、本実施形態によれば、旧ホールボタン装置14を撤去して新ホールボタン装置18に入れ替える際には、エレベータの１号機、２号機を両方とも休止することなく、片方のエレベータの運転を確保したままで、効率良く、簡易に入れ替えることができる。このため、新旧のホールボタン装置を入れ替えるために、両方のエレベータとも休止しなければならないことがなく、また、エレベータの休止を避けるために夜間での入替作業を強いられることもなくなる。
【００２９】
以上、本発明に係るホールボタン装置入替装置および方法について、好適な実施形態を挙げて説明したが、これらの実施形態は、例示として挙げたもので、発明の範囲の制限を意図するものではない。もちろん、明細書に記載された新規な装置、方法およびシステムは、様々な形態で実施され得るものであり、さらに、本発明の主旨から逸脱しない範囲において、種々の省略、置換、変更が可能である。請求項およびそれらの均等物の範囲は、発明の主旨の範囲内で実施形態あるいはその改良物をカバーすることを意図している。
【符号の説明】
【００３０】
12A、12B…ホールドア、13A、13B…ホールドア、14…旧ホールボタン装置、15…フェースプレート、16…-ホールボタン装置入替治具、18…新ホールボタン装置、17…位置表示灯、19…方向灯、20、21…押しボタン、22…位置表示器、23…方向表示器、25…縦部材、26…背板、27、28…腕部材、30…ボックス、31…ブラケット
【図１】
2020045207.tif 000003
【図２】
2020045207.tif 000004
【図３】
2020045207.tif 000005
【図４】
2020045207.tif 000006
【図５】
2020045207.tif 000007
【図６】
2020045207.tif 000008
【図７】
2020045207.tif 000009
【図８】
2020045207.tif 000010
【図９】
2020045207.tif 000011
【手続補正書】
【提出日】令和1年8月20日(2019.8.20)
【手続補正１】
【補正対象書類名】明細書
【補正対象項目名】０００９
【補正方法】変更
【補正の内容】
【０００９】
前記の目的を達成するために、本発明の一実施形態に係るホールボタン装置入替治具は、エレベータのリニューアル工事に際して、少なくとも２台のエレベータで共有する既設の旧ホールボタン装置を新ホールボタン装置に入れ替えるのに利用される治具であって、乗場の壁に設置される旧ホールボタン装置に取り付けられ、前記旧ホールボタン装置の横に並べて前記新ホールボタン装置を暫定的に仮設することが可能な仮設用フレームと、前記旧ホールボタン装置の表面板を前記旧ホールボタン装置のボックスから浮かせた状態で支持し、前記エレベータの各号機の信号線の端末を乗場側に引き出すことが可能な隙間を形成するブラケット部材と、を具備したことを特徴とするものである。
【手続補正２】
【補正対象書類名】明細書
【補正対象項目名】００２１
【補正方法】変更
【補正の内容】
【００２１】
図８に示されるように、フェースプレート15の上下端部には、ブラケット31が連結され、このブラケット31を介して、フェースプレート15はボックス30から浮いて前方に引き出されるようにして支持されている。この実施形態では、フェースプレート15の位置を仕上げるときに調整できるようにもともとあった部材をブラケット31に流用している。このようにフェースプレート15を支持することで、ボックス30とフェースプレート15の間には隙間32が形成されている。この隙間32を利用して、１号機、２号機の信号線ケーブルの端末34、36を外に引き出すことができるようになっている。
【手続補正３】
【補正対象書類名】特許請求の範囲
【補正対象項目名】全文
【補正方法】変更
【補正の内容】
【特許請求の範囲】
【請求項１】
エレベータのリニューアル工事に際して、少なくとも２台のエレベータで共有する既設の旧ホールボタン装置を新ホールボタン装置に入れ替えるのに利用される治具であって、乗場の壁に設置される旧ホールボタン装置に取り付けられ、前記旧ホールボタン装置の横に並べて前記新ホールボタン装置を暫定的に仮設することが可能な仮設用フレームと、
前記旧ホールボタン装置の表面板を前記旧ホールボタン装置のボックスから浮かせた状態で支持し、前記エレベータの各号機の信号線の端末を乗場側に引き出すことが可能な隙間を形成するブラケット部材と、
を具備したことを特徴とするホールボタン装置入替治具。
【請求項２】
前記仮設用フレームは、
前記旧ホールボタン装置の表面板に一端部が固定され水平に延びる腕部材と、
前記腕部材に直角に交差するように連結される縦部材と、からなることを特徴とする請求項１に記載のホールボタン装置入替治具。
【請求項３】
前記腕部材は、前記旧ホールボタン装置の前記表面板の上下端にある表面板固定用ねじ穴を利用して、ねじで固定されることを特徴とする請求項２に記載のホールボタン装置入替治具。
【請求項４】
請求項１乃至３のいずれかに記載のホールボタン装置入替治具を用い、
後行号機に先行して行う先行号機のリニューアル工事中に、前記新ホールボタン装置を前記旧ホールボタン装置に並べて仮設し、前記先行号機のリニューアル工事中は、前記旧ホールボタン装置により後行号機を運転可能な状態にし、
後行号機のリニューアル工事中は、リニューアルの完了した先行号機の信号線の端末を前記隙間から引き出して前記新ホールボタン装置に接続し、前記先行号機を運転可能な状態にし、
前記後行号機のリニューアル工事の完了とともに、前記後行号機の信号線の端末を前記新ホールボタン装置に接続し、前記旧ホールボタン装置を撤去するとともに前記新ホールボタン装置を正規の位置に設置することを特徴とするホールボタン装置入替方法。